(57)【特許請求の範囲】
【請求項１】
被印字媒体を搬送する搬送手段と、
前記搬送手段により搬送される前記被印字媒体に対し、印字を形成する印字手段と、
所望の操作入力が可能な操作手段と、
を有する印字装置であって、
前記被印字媒体に対し印字形成される１文字分扱いの絵記号を決定するための前記操作手段を介した決定操作を受け付ける決定操作受付手段と、
複数組み合わせることにより前記絵記号となる部分絵記号の印字形成用に予め用意された部分印字用データを複数種類記憶した第１記憶手段と、
前記決定操作受付手段が受け付けた前記決定操作に応じて、前記第１記憶手段に記憶された前記部分印字用データを可変に複数組み合わせることにより、決定された前記絵記号を含む印字データを生成する、印字データ生成手段と、
前記印字データに対応した印字を前記被印字媒体に対し形成するために前記搬送手段及び前記印字手段を連携して制御する連携制御手段と、
を有することを特徴とする印字装置。
【請求項２】
請求項１記載の印字装置において、
前記連携制御手段は、
前記印字データに対応した印字が形成された前記被印字媒体により印字ラベルを作成するように、前記搬送手段及び前記印字手段を連携して制御する
ことを特徴とする印字装置。
【請求項３】
請求項１又は２記載の印字装置において、
前記部分絵記号の表示用に予め用意された部分表示用データを複数種類記憶した第２記憶手段と、
前記第２記憶手段に記憶された前記部分表示用データを可変に複数組み合わせることにより、前記絵記号を表示手段の編集画面に表示させる、第１表示制御手段と、
をさらに有し、
前記決定操作受付手段は、
前記編集画面に表示された前記絵記号を前記被印字媒体に対し印字形成される絵記号として決定するための前記決定操作を受け付ける
ことを特徴とする印字装置。
【請求項４】
請求項３記載の印字装置において、
前記第１記憶手段は、
各部分絵記号ごとに固有の文字コードを割り当てた態様で、前記部分印字用データを複数種類記憶しており、
前記第２記憶手段は、
各部分絵記号ごとに前記文字コードを割り当てた態様で、前記部分表示用データを複数種類記憶している
ことを特徴とする印字装置。
【請求項５】
請求項３又は４記載の印字装置において、
複数種類の前記部分絵記号の間の組み合わせ可否情報を記憶した第３記憶手段をさらに有する
ことを特徴とする印字装置。
【請求項６】
請求項５記載の印字装置において、
前記第１表示制御手段は、
予め定められた１文字分扱いの第１絵記号の前記部分絵記号に係る前記部分表示用データを複数組み合わせることにより、当該第１絵記号を前記編集画面に表示させ、
かつ、
前記編集画面に表示された前記第１絵記号のうちの１つを選択するための前記操作手段を介した第１選択操作を受け付ける第１選択操作受付手段と、
前記第１選択操作受付手段が受け付けた前記第１選択操作に応じて、前記第３記憶手段に記憶された前記組み合わせ可否情報を参照し、前記第２記憶手段から、選択された前記第１絵記号の前記部分絵記号と組み合わせ可能な前記部分絵記号に係る前記部分表示用データを抽出する抽出手段と、
前記抽出手段により抽出された前記部分表示用データを用いて、対応する前記部分絵記号を前記表示手段の選択画面に表示させる第２表示制御手段と、
前記選択画面に表示された前記部分絵記号のうちの１つ以上を選択するための前記操作手段を介した第２選択操作を受け付ける第２選択操作受付手段と、
を設け、
前記第１表示制御手段は、
前記第２選択操作受付手段が受け付けた前記第２選択操作に応じて、前記選択された前記第１絵記号の前記部分絵記号に係る前記部分表示用データと、選択された前記部分絵記号に係る前記部分表示用データと、を置き換える又は組み合わせることにより、当該第１絵記号に代えて、当該第１絵記号と異なる絵柄の１文字分扱いの第２絵記号を前記編集画面に表示させる
ことを特徴とする印字装置。
【請求項７】
請求項６記載の印字装置において、
前記編集画面に表示された前記第１絵記号のうちの１つを選択するための前記操作手段を介した第３選択操作を受け付ける第３選択操作受付手段と、
前記第３選択操作受付手段が受け付けた前記第３選択操作に応じて、選択された前記第１絵記号を前記第１選択操作の選択対象とならないように除外処理する除外処理手段と、
をさらに有することを特徴とする印字装置。
【請求項８】
請求項７記載の印字装置において、
前記第１絵記号を当該第１絵記号に係る複数の前記部分表示用データの組み合わせによる表示と異なる態様で表示させるために予め用意された表示用データを複数種類記憶した第４記憶手段をさらに有し、
前記第１表示制御手段は、
前記除外処理手段により除外処理された前記第１絵記号の前記編集画面における表示を、前記第２記憶手段に記憶された当該第１絵記号に係る複数の前記部分表示用データの組み合わせによる表示から、前記第４記憶手段に記憶された当該第１絵記号に係る前記表示用データを用いた表示に変更する
ことを特徴とする印字装置。
【請求項９】
請求項１乃至８のいずれか１項記載の印字装置において、
前記印字データ生成手段は、
複数の前記部分印字用データを、すべてそのままの態様で組み合わせるか、若しくは、そのうちの１つ以上を回転処理及び反転処理の少なくとも一方をした態様で組み合わせる、ことにより、前記決定された前記絵記号を含む前記印字データを生成可能に構成されている
ことを特徴とする印字装置。
【請求項１０】
請求項１乃至９のいずれか１項記載の印字装置において、
前記第１記憶手段は、
前記絵記号の一方側部分に対応する一方側部分絵記号に係る一方側部分印字用データ、前記絵記号の他方側部分に対応する他方側部分絵記号に係る他方側部分印字用データ、及び、前記一方側部分絵記号と前記他方側部分絵記号との間に配置可能な中間部分絵記号に係る中間部分印字用データ、を含む前記複数種類の部分印字用データを記憶しており、
前記印字データ生成手段は、
前記一方側部分印字用データ及び前記他方側部分印字用データを可変に組み合わせるか、若しくは、前記一方側部分印字用データ、前記他方側部分印字用データ、及び１つ以上の前記中間部分印字用データを可変に組み合わせる、ことにより、前記決定された絵記号を含む前記印字データを生成可能に構成されている
ことを特徴とする印字装置。
【発明の詳細な説明】
【技術分野】
【０００１】
本発明は、被印字媒体に印字を行う印字装置に関する。
【背景技術】
【０００２】
従来、被印字媒体に印字を行う印字装置が知られている（例えば、特許文献１参照）。この印字装置（テープ印刷装置）は、絵記号（シンボルオブジェクト）の印字用データ（印刷用ドットパターンデータ）を複数種類記憶しており、被印字媒体（印刷テープ）に対し、上記印字用データにより、印字データ（印刷データ）を印字する。
【先行技術文献】
【特許文献】
【０００３】
【特許文献１】特開２０１３−４３３００号公報
【発明の概要】
【発明が解決しようとする課題】
【０００４】
上記従来技術では、絵記号単位で印字用データを複数種類用意している。したがって、一部分が共通絵柄であるが全体としては異なる絵柄の複数の絵記号の印字用データを用意するに際して、用意する印字用データのデータ量が多くなってしまう。
【０００５】
本発明の目的は、用意する印字用データのデータ量を低減できる印字装置を提供することにある。
【課題を解決するための手段】
【０００６】
上記目的を達成するために、本願発明は、被印字媒体を搬送する搬送手段と、前記搬送手段により搬送される前記被印字媒体に対し、印字を形成する印字手段と、所望の操作入力が可能な操作手段と、を有する印字装置であって、前記被印字媒体に対し印字形成される１文字分扱いの絵記号を決定するための前記操作手段を介した決定操作を受け付ける決定操作受付手段と、複数組み合わせることにより前記絵記号となる部分絵記号の印字形成用に予め用意された部分印字用データを複数種類記憶した第１記憶手段と、前記決定操作受付手段が受け付けた前記決定操作に応じて、前記第１記憶手段に記憶された前記部分印字用データを可変に複数組み合わせることにより、決定された前記絵記号を含む印字データを生成する、印字データ生成手段と、前記印字データに対応した印字を前記被印字媒体に対し形成するために前記搬送手段及び前記印字手段を連携して制御する連携制御手段と、を有することを特徴とする。
【０００７】
本願発明の印字装置においては、操作者が意図する所望の絵記号を含む印字を被印字媒体に対し形成することができる。
【０００８】
すなわち、第１記憶手段に、複数種類の部分印字用データが記憶されている。各部分印字用データは、複数組み合わせることにより絵記号となる部分絵記号の印字形成用のデータである。操作者が操作手段を操作して絵記号を決定すると、その決定操作が決定操作受付手段により受け付けられる。その後、その受け付けられた決定操作に応じて、印字データ生成手段が、上記第１記憶手段に記憶された上記部分印字用データを可変に複数組み合わせることにより、上記決定された絵記号を含む印字データを生成する。そして、その生成された印字データに基づき、連携制御手段の制御により、対応する印字が被印字媒体に対し形成される。
【０００９】
以上の結果、操作者が絵記号を決定すると、予め部分絵記号単位で用意された複数種類の部分印字用データの中から、当該絵記号の一部分となる部分絵記号の部分印字用データを複数組み合わせることにより、当該絵記号を含む印字データを生成し、当該絵記号を含む印字を形成することができる。すなわち、一部分が共通絵柄であるが全体としては異なる絵柄の複数の絵記号の印字用データを用意するに際して、共通絵柄部分に対応する部分絵記号の部分印字用データは、１つのみ用意すれば足りる。したがって、絵記号単位で印字用データを複数種類用意する場合に比べて、用意する印字用データのデータ量を低減することができる。また、部分印字用データの組み合わせパターンを変更することにより、種々多様な絵記号の印字を実現することができる。
【発明の効果】
【００１０】
本発明によれば、用意する印字用データのデータ量を低減することができる。
【図面の簡単な説明】
【００１１】
【図１】本発明の一実施形態の印字装置を斜め上方からから見た外観を表す斜視図である。
【図２】下カバーを開放した状態の印刷装置を斜め下方から見た外観を表す斜視図である。
【図３】カートリッジの内部構造を模式的に表す拡大平面図である。
【図４】印刷装置の制御系を表す機能ブロック図である。
【図５】表示用ＣＧＲＯＭの記憶内容を表す表である。
【図６】印字用ＣＧＲＯＭの記憶内容を表す表である。
【図７】基本形絵記号情報記憶部の記憶内容を表す表である。
【図８】マッチング情報記憶部に記憶されたマッチング情報を表す表である。
【図９】印字ラベルが生成される流れを説明するための説明図である。
【図１０】部分印字用ドットパターンデータを回転処理した態様で組み合わせる例を説明するための説明図である。
【図１１】基本形絵記号を絵柄変更対象とならないように除外処理する例を説明するための説明図である。
【図１２】ＣＰＵにより実行される制御手順を表すフローチャートである。
【図１３】ワイドな絵柄の絵記号の生成を実現可能とする変形例における、ワイドな絵柄の変形絵記号の一例を表す説明図である。
【発明を実施するための形態】
【００１２】
以下、本発明の一実施形態について図面を参照しつつ説明する。
【００１３】
＜全体概略構成＞
まず、図１〜図３を参照しつつ、本実施形態の印字装置の概略構成を説明する。
【００１４】
図１〜図３において、印字装置１は、所望の印字を行った印字済みラベル用テープ１０９を所定の長さに切断することにより、印字テープとしての印字ラベルＬ（後述の図５（ｇ）等参照）を作成する。なお、本実施形態において、印字装置１の前・後・左・右・上・下というときは、図１及び図２等に示す方向を指す。
【００１５】
図１及び図２に示すように、印字装置１の筐体２は、装置下面を構成する下カバー１５と、装置側面を構成する横カバー１６と、装置上面を構成する上カバー１７と、により構成されている。上カバー１７には、前方から後方に向けて、文字入力等の種々の操作が行われるキーボード３（操作手段に相当）、印字装置１の各種機能を実行させるための機能キー群４（操作手段に相当）、及び、キーボード３等を介して入力された文字や記号、絵記号（シンボルマーク）等のキャラクタ（オブジェクト）に対応するテキストを表示するための液晶ディスプレイ５（表示手段に相当）が設けられている。キーボード３には、例えば、「↑」「←」「→」「↓」の４つのカーソルキーの他、通常のアルファベットや数字のキーが設けられている。機能キー群４には、この例では、電源スイッチ４Ｂ及び印刷キー４Ｃ等が含まれている。また、横カバー１６の右側後方には、印字済みラベル用テープ１０９（後述の図３参照）を切断するためのカッターレバー７が設けられている。
【００１６】
印字装置１の上側後方には、カートリッジ８を着脱可能なカートリッジホルダ９が設けられている。このカートリッジホルダ９は、印字装置１の前側端部を回転軸として開閉可能に構成された上記下カバー１５を閉じると覆われ、下カバー１５を開放すると露出する。
【００１７】
また、図２に示すように、印字装置１の上側後方には、カートリッジホルダ９に隣接して、電池ＢＴ（後述の図４参照）を複数個収納可能な電池収納部７０が設けられている。なお、図２中、符号６０は、外部電源としてのＡＣアダプタ２２０（後述の図４参照）の出力プラグが接続されるＤＣジャックである。
【００１８】
＜カートリッジ＞
図３に示すように、カートリッジ８は、筐体８Ａと、この筐体８Ａ内に配置され帯状の基材テープ１０１が巻回された第１ロール１０２（実際は渦巻き状であるが、図では簡略的に同心円状に示す）と、上記基材テープ１０１と略同じ幅である、透明なカバーフィルム１０３（被印字媒体に相当）が巻回された第２ロール１０４（実際は渦巻き状であるが、図では簡略的に同心円状に示す）と、熱転写リボンであるインクリボン１０５（但し被印字媒体が感熱テープの場合は不要）を繰り出すリボン供給側ロール１１１と、印字後のインクリボン１０５を巻き取るリボン巻き取りローラ１０６と、カートリッジ８のテープ排出部の近傍に回転可能に支持されたテープ送りローラ２７と、を有する。
【００１９】
テープ送りローラ２７は、上記基材テープ１０１と上記カバーフィルム１０３とを押圧し接着させ印字済みラベル用テープ１０９としつつ、図３中矢印Ａで示す方向にテープ送りを行う。
【００２０】
第１ロール１０２は、リール部材１０２ａの周りに上記基材テープ１０１を巻回している。基材テープ１０１は、この例では４層構造となっており、詳細な図示を省略するが、内側に巻かれる側からその反対側へ向かって、適宜の粘着剤からなる貼り合わせ用粘着層、ＰＥＴ（ポリエチレンテレフタラート）等からなる色付きのベースフィルム、適宜の粘着剤からなる貼り付け用粘着層、剥離紙の順序で積層され構成されている。
【００２１】
第２ロール１０４は、リール部材１０４ａの周りに上記カバーフィルム１０３を巻回している。第２ロール１０４より繰り出されるカバーフィルム１０３の裏面に、インクリボン１０５がサーマルヘッド２３（印字手段に相当。図２も参照）に押圧されて当接させられる。
【００２２】
このとき、上記のカートリッジ８の構成に対応して、カートリッジホルダ９には、上記使用済みのインクリボン１０５を巻き取るためのリボン巻き取りローラ駆動軸１０７（図２も参照）と、印字済みラベル用テープ１０９を搬送するための上記テープ送りローラ２７を駆動するためのテープ送りローラ駆動軸１０８（搬送手段に相当。図２も参照）と、が設けられている。また、カートリッジホルダ９には、カバーフィルム１０３に所望の印刷を行う上記サーマルヘッド２３が、カートリッジ８の装着時にカートリッジ８の開口部１４（図２参照）に位置するように設けられている。
【００２３】
リボン巻き取りローラ１０６及びテープ送りローラ２７は、カートリッジ８外に設けた例えばパルスモータである駆動モータ２１１（後述の図４参照）の駆動力が、図示しないギヤ機構を介し上記リボン巻き取りローラ駆動軸１０７及び上記テープ送りローラ駆動軸１０８に伝達されることにより、互いに連動し回転駆動される。
【００２４】
上記構成において、カートリッジ８が上記カートリッジホルダ９に装着されロールホルダがリリース位置（図示省略）から図３に示す印字位置に移動されると、カバーフィルム１０３及びインクリボン１０５が、上記サーマルヘッド２３と、このサーマルヘッド２３に対向して設けられたプラテンローラ２６と、の間に狭持される。これと共に、基材テープ１０１及びカバーフィルム１０３が、テープ送りローラ２７と、テープ送りローラ２７に対向して設けられた圧着ローラ２８と、の間に狭持される。そして、上記駆動モータ２１１の駆動力により、リボン巻き取りローラ１０６及びテープ送りローラ２７が、図３中矢印Ｂ及び矢印Ｃで示す方向にそれぞれ同期して回転駆動される。このとき、前述のテープ送りローラ駆動軸１０８と上記圧着ローラ２８及び上記プラテンローラ２６は、ギヤ機構（図示せず）にて連結されており、テープ送りローラ駆動軸１０８の駆動に伴いテープ送りローラ２７、圧着ローラ２８、及びプラテンローラ２６が回転し、第１ロール１０２から基材テープ１０１が繰り出され、上述のようにテープ送りローラ２７へ供給される。
【００２５】
一方、第２ロール１０４からはカバーフィルム１０３が繰り出されると共に、サーマルヘッド制御回路２１７（後述の図４参照）によりサーマルヘッド２３に設けられた複数の発熱素子が通電され発熱する。このとき、カバーフィルム１０３の裏面側（すなわち上記基材テープ１０１と接着される側）には、リボン巻き取りローラ１０６により駆動されるインクリボン１０５が、上記サーマルヘッド２３に押圧されて当接させられる。この結果、カバーフィルム１０３の裏面に、上記キーボード３等を介して入力されたキャラクタに対応するテキストの印字データに対応した印字が印刷される。
【００２６】
そして、上記基材テープ１０１と上記印刷が終了したカバーフィルム１０３とが、上記テープ送りローラ２７及び圧着ローラ２８の押圧により上記貼り合わせ用粘着層により接着されて一体化され、印字済みラベル用テープ１０９として形成され、カートリッジ８外へと排出される。カバーフィルム１０３への印字が終了したインクリボン１０５は、リボン巻き取りローラ駆動軸１０７の駆動によりリボン巻き取りローラ１０６に巻き取られる。
【００２７】
カートリッジ８外へ排出された印字済みラベル用テープ１０９の搬送経路の下流側には、固定刃４０と可動刃４１とを備えた切断機構４２が設けられている。上記カッターレバー７が操作されることにより可動刃４１が動作し、上記印字済みラベル用テープ１０９が切断され、上記印字ラベルＬが生成される。
【００２８】
＜制御系＞
次に、図４を参照しつつ、印字装置１の制御系を説明する。
【００２９】
図４に示すように、印字装置１は、所定の演算を行うＣＰＵ２１２を有する。
【００３０】
ＣＰＵ２１２には、上記キーボード３と、上記機能キー群４と、上記液晶ディスプレイ５と、表示用キャラクタジェネレータＲＯＭ（表示用ＣＧＲＯＭ）２１８と、印字用キャラクタジェネレータＲＯＭ（印字用ＣＧＲＯＭ）２１９と、ＥＥＰＲＯＭ２１４と、ＲＡＭ２１３と、が接続されている。また、ＣＰＵ２１２は、ＡＣアダプタ２２０に接続され印字装置１の電源のオン・オフ処理を行う電源回路２１５と、上記リボン巻き取りローラ駆動軸１０７及び上記テープ送りローラ駆動軸１０８を駆動する駆動モータ２１１の駆動制御を行うモータ駆動回路２１６と、上記サーマルヘッド２３の発熱素子の通電制御を行うサーマルヘッド制御回路２１７と、に接続されている。
【００３１】
表示用ＣＧＲＯＭ２１８には、複数種類のキャラクタそれぞれの表示用に予め用意された表示用ドットパターンデータが、各キャラクタごとに固有の文字コードが割り当てられた態様で、記憶されている（詳細は後述）。
【００３２】
印字用ＣＧＲＯＭ２１９には、複数種類のキャラクタそれぞれの印字形成用に予め用意された印字用ドットパターンデータが、各キャラクタごとに固有の文字コードが割り当てられた態様で、記憶されている（詳細は後述）。
【００３３】
ＥＥＰＲＯＭ２１４には、各種制御プログラム（後述の図１２に示すフローチャートの処理を実行する印刷処理プログラムを含む）が記憶されている。ＣＰＵ２１２は、ＲＡＭ２１３の一時記憶機能を利用しつつＥＥＰＲＯＭ２１４に記憶されたプログラムに従って信号処理を行い、これにより印字装置１全体の制御を行う。また、ＥＥＰＲＯＭ２１４は、基本形絵記号情報記憶部２１４ａ（詳細は後述）と、マッチング情報記憶部２１４ｂ（詳細は後述）と、を備える。
【００３４】
ＲＡＭ２１３は、テキストメモリ２１３ａと、表示バッファ２１３ｂと、印字バッファ２１３ｃと、を備える。
【００３５】
テキストメモリ２１３ａには、キーボード３等を介して入力されたキャラクタに対応するテキストデータ（文字コード）が順次記憶される。
【００３６】
表示バッファ２１３ｂには、キーボード３等を介して入力されたキャラクタに対応して上記表示用ＣＧＲＯＭ２１８から順次読み出された表示用ドットパターンデータが順次記憶され、ＣＰＵ１１２は、この表示バッファ２１３ｂに記憶された表示用ドットパターンデータに基づき、液晶ディスプレイ５に制御信号を出力し、液晶ディスプレイ５に、キーボード３等を介して入力されたキャラクタに対応するテキストを表示させる。
【００３７】
印字バッファ２１３ｃには、上記テキストメモリ２１３ａに記憶されたテキストデータ（文字データ）に対応して上記印字用ＣＧＲＯＭ２１９から順次読み出された印字用ドットパターンデータが順次記憶され、ＣＰＵ１１２は、この印字バッファ２１３ｃに記憶された印字用ドットパターンデータからなる印字データに基づき、サーマルヘッド制御回路２１７を駆動し、サーマルヘッド２３により、カバーフィルム１０３に対し、キーボード３等を介して入力されたキャラクタに対応するテキストを印字形成させる。
【００３８】
＜本実施形態の特徴＞
本実施形態の特徴は、操作者が意図する所望の絵記号を含む印字データを、当該絵記号の一部分となる部分絵記号の部分印字用ドットパターンデータを複数組み合わせて生成することにある。以下、その詳細を説明する。
【００３９】
＜絵記号＞
本実施形態では、複数種類の絵記号のうち、一部の種類の絵記号（例えばアニメキャラクタの絵記号等）について、複数（この例では２つ）組み合わせることにより絵記号となる部分絵記号が予め定められている。以下適宜、部分絵記号が定められていない絵記号を「一般絵記号」、部分絵記号が定められている絵記号を「特別絵記号」という。そして、特別絵記号には、基本形の絵柄である基本形絵記号ＢＰ（第１絵記号に相当。後述の図９（ｂ）参照）と、基本形絵記号ＢＰと異なる絵柄である変形絵記号（第２絵記号に相当）と、が予め定められている。
【００４０】
＜表示用ドットパターンデータ＞
上記表示用ＣＧＲＯＭ２１８（第２記憶手段及び第４記憶手段に相当）には、部分絵記号をキャラクタとして複数種類含む、上記複数種類のキャラクタそれぞれの表示用ドットパターンデータが、各キャラクタごとに文字コードが割り当てられた態様で、記憶されている。すなわち、表示用ＣＧＲＯＭ２１８には、文字や記号、一般絵記号の表示用ドットパターンデータと、部分絵記号の表示用ドットパターンデータである部分表示用ドットパターンデータ（部分表示用データに相当）と、がそれぞれ複数種類記憶されている。
【００４１】
この例では、表示用ＣＧＲＯＭ２１８には、部分表示用ドットパターンデータとして、絵記号の左半分（一方側部分に相当）の絵柄に対応する左パーツ絵記号ＬＰ（一方側部分絵記号に相当。後述の図９（ｄ）参照）の左パーツ表示用ドットパターンデータと、絵記号の右半分（他方側部分に相当）の絵柄に対応する右パーツ絵記号ＲＰ（他方側部分絵記号に相当。後述の図９（ｅ）参照）の右パーツ表示用ドットパターンデータと、絵記号の上半分（一方側部分に相当）の絵柄に対応する上パーツ絵記号ＵＰ（一方側部分絵記号に相当。後述の図１０（ｂ）参照）の上パーツ表示用ドットパターンデータと、絵記号の下半分（他方側部分に相当）の絵柄に対応する下パーツ絵記号ＤＰ（他方側部分絵記号に相当。後述の図１０（ｃ）参照）の下パーツ表示用ドットパターンデータと、が記憶されている。
【００４２】
また、表示用ＣＧＲＯＭ２１８には、上記基本形絵記号ＢＰを、当該基本形絵記号ＢＰを構成する２つの部分絵記号の部分表示用ドットパターンデータの組み合わせによる表示と異なる態様で表示させるために、予め用意された表示用ドットパターンデータである異態様表示用ドットパターンデータ（表示用データに相当）が、複数種類記憶されている。以下適宜、異態様表示用ドットパターンデータに基づき表示される基本形絵記号を「異態様絵記号」という。
【００４３】
図５に、上記表示用ＣＧＲＯＭ２１８の記憶内容の一例を示す。
【００４４】
図５に示す例では、表示用ＣＧＲＯＭ２１８には、例えば文字コード「０００１」に、文字「Ａ」の表示用ドットパターンデータが割り当てられて、記憶されている。また、例えば文字コード「１００１」に、人の絵記号に係る左パーツ絵記号ＬＰ１の左パーツ表示用ドットパターンデータが割り当てられて、記憶されている。また、例えば文字コード「２００１」に、上記人の絵記号に係る右パーツ絵記号ＲＰ１の右パーツ表示用ドットパターンデータが割り当てられて、記憶されている。また、例えば文字コード「３００１」に、上記人の絵記号に係る異態様絵記号ＢＰ１′の異態様表示用ドットパターンデータが割り当てられて、記憶されている。
【００４５】
＜印字用ドットパターンデータ＞
上記印字用ＣＧＲＯＭ２１９（第１記憶手段に相当）には、部分絵記号をキャラクタとして複数種類含む、上記複数種類のキャラクタそれぞれの印字用ドットパターンデータが、各キャラクタごとに文字コードが割り当てられた態様で、記憶されている。すなわち、印字用ＣＧＲＯＭ２１９には、文字や記号、一般絵記号の印字用ドットパターンデータと、部分絵記号の印字用ドットパターンデータである印字表示用ドットパターンデータ（部分印字用データに相当）と、がそれぞれ複数種類記憶されている。
【００４６】
この例では、印字用ＣＧＲＯＭ２１９には、部分印字用ドットパターンデータとして、上記左パーツ絵記号ＬＰの左パーツ印字用ドットパターンデータ（一方側部分印字用データに相当）と、上記右パーツ絵記号ＲＰの右パーツ印字用ドットパターンデータ（他方側部分印字用データに相当）と、上記上パーツ絵記号ＵＰの上パーツ印字用ドットパターンデータ（一方側部分印字用データに相当）と、上記下パーツ絵記号ＤＰの下パーツ印字用ドットパターンデータ（他方側部分印字用データに相当）と、が記憶されている。
【００４７】
図６に、上記印字用ＣＧＲＯＭ２１９の記憶内容の一例を示す。
【００４８】
図６に示す例では、印字用ＣＧＲＯＭ２１９には、上記文字コード「０００１」に、上記文字「Ａ」の印字用ドットパターンデータが割り当てられて、記憶されている。また、上記文字コード「１００１」に、上記左パーツ絵記号ＬＰ１の左パーツ印字用ドットパターンデータが割り当てられて、記憶されている。また、上記文字コード「２００１」に、上記右パーツ絵記号ＲＰ１の右パーツ印字用ドットパターンデータが割り当てられて、記憶されている。
【００４９】
＜基本形絵記号情報＞
図７に、上記基本形絵記号情報記憶部２１４ａの記憶内容の一例を示す。
【００５０】
図７に示すように、基本形絵記号情報記憶部２１４ａには、各基本形絵記号ＢＰごとに、対応する文字コードが記憶されている。この例では、各基本形絵記号ＢＰごとに、当該基本形絵記号ＢＰを構成する２つの部分絵記号に対応する文字コード（図中「文字コード（１）」項目参照）と、当該基本形絵記号ＢＰに係る上記異態様絵記号に対応する文字コード（図中「文字コード（２）」項目参照）と、が対応付けられて記憶されている。
【００５１】
＜マッチング情報＞
図８に、上記マッチング情報記憶部２１４ｂの記憶内容の一例を示す。
【００５２】
図８に示すように、マッチング情報記憶部２１４ｂ（第３記憶手段）には、複数種類の部分絵記号の間の組み合わせの可否、つまり、複数種類の上記左パーツ絵記号ＬＰ及び複数種類の上記右パーツ絵記号ＲＰの組み合わせの可否と、複数種類の上記下パーツ絵記号ＤＰ及び複数種類の上記上パーツ絵記号ＵＰの組み合わせの可否と、を表すマッチング情報（組み合わせ可否情報に相当）が記憶されている。図８に示す例では、部分絵記号の識別情報を文字コードとして、組み合わせ可能である２つの部分絵記号の組み合わせには、対応する欄に「○」が記載され、組み合わせ不可能である２つの部分絵記号の組み合わせには、対応する欄に「×」が記載されている。
【００５３】
＜印字ラベルが生成される流れ＞
次に、図９（ａ）〜（ｇ）を参照しつつ、上記特別絵記号を含むテキストが印字形成された印字ラベルＬが生成される流れを説明する。
【００５４】
＜テキストの入力＞
図９（ａ）〜（ｇ）において、本実施形態では、操作者のキーボード３や機能キー群４等の適宜の操作により、液晶ディスプレイ５に、テキストの入力を行うためのテキスト編集画面５Ａ（編集画面に相当）が表示される。
【００５５】
この状態で、操作者は、キーボード３や機能キー群４等を操作して、テキストの入力を行う。この例では、操作者が、キーボード３を操作して、文字「Ａ」「Ｂ」「Ｃ」を順次入力したとする。
【００５６】
この場合、表示用ＣＧＲＯＭ２１８から文字「Ａ」「Ｂ」「Ｃ」それぞれに対応する文字コードが割り当てられた表示用ドットパターンデータが順次読み出され、表示バッファ２１３ｂに順次展開されて、図９（ａ）に示すように、テキスト編集画面５Ａに、文字「Ａ」「Ｂ」「Ｃ」が表示される。
【００５７】
また、このとき、テキストメモリ２１３ａに、文字「Ａ」「Ｂ」「Ｃ」それぞれに対応する文字コードが順次記憶される。この例では、テキストメモリ２１３ａに、文字「Ａ」に対応する文字コード「０００１」、文字「Ｂ」に対応する文字コード「０００２」、及び、文字「Ｃ」に対応する文字コード「０００３」が順次記憶される。
【００５８】
＜基本形絵記号の選択＞
その後、操作者が、例えば機能キー群４を操作して、テキスト編集画面５Ａのカーソル５１の位置に、特別絵記号の入力を意図する操作をしたとする。
【００５９】
この場合、基本形絵記号情報記憶部２１４ａが参照され、複数種類の基本形絵記号ＢＰそれぞれについて、表示用ＣＧＲＯＭ２１８から、当該基本形絵記号ＢＰを構成する２つの部分絵記号それぞれの部分表示用ドットパターンデータが抽出されて、それらが組み合わされることで、図９（ｂ）に示すように、テキスト編集画面５Ａから移行した基本形絵記号選択画面５Ｂ（又はテキスト編集画面５Ａのままでもよい）において、複数種類の基本形絵記号ＢＰが、例えばスクロールにより一覧可能に（又は別画面や別ウィンドウ等でもよい）表示される。この例では、基本形絵記号ＢＰとして、上記人の絵記号に係る基本形絵記号ＢＰ１、及び、女性の顔の絵記号に係る基本形絵記号ＢＰ２等が予め定められており、基本形絵記号選択画面５Ｂにおいて、これら基本形絵記号ＢＰ１，ＢＰ２等が一覧可能に表示される。
【００６０】
なお、このとき、基本形絵記号ＢＰ１は、上記文字コード「１００１」が割り当てられた上記左パーツ絵記号ＬＰ１（後述の図９（ｄ）も参照）の左パーツ表示用ドットパターンデータ、及び、上記文字コード「２００１」が割り当てられた上記右パーツ絵記号ＲＰ１（後述の図９（ｅ）も参照）の右パーツ表示用ドットパターンデータが、そのままの態様で左右（画面長さ方向に対応する方向）に並ぶように組み合わされることで表示されている。また、基本形絵記号ＢＰ２は、上記女性の顔の絵記号に係る、例えば文字コード「１０１１」が割り当てられた下パーツ絵記号ＤＰ１（後述の図１０（ｃ）参照）の下パーツ表示用ドットパターンデータ、及び、例えば文字コード「２０１１」が割り当てられた上パーツ絵記号ＵＰ１（後述の図１０（ｂ）参照）の上パーツ表示用ドットパターンデータが、そのままの態様で左右に並ぶように組み合わされることで表示されている。
【００６１】
この状態で、操作者は、キーボード３や機能キー群４等を操作して、基本形絵記号選択画面５Ｂに表示された基本形絵記号ＢＰのうちの所望の１つを選択する（複数を選択可能としてもよい）選択操作を行う。この例では、図９（ｃ）に示すように、操作者が、キーボード３や機能キー群４等を操作して、基本形絵記号ＢＰ１を選択したとする。なお、このとき、基本形絵記号選択画面５Ｂに、「シンボルをこれにしますか？」の確認メッセージが併せて表示されている。
【００６２】
この場合、上記確認メッセージに対応して操作者がキーボード３や機能キー群４等を操作して適宜の確認操作を行うと、表示バッファ２１３ｂにおいて、文字「Ａ」「Ｂ」「Ｃ」それぞれの表示用ドットパターンデータの後に、上記選択された基本形絵記号ＢＰ１に係る、左パーツ絵記号ＬＰ１の左パーツ表示用ドットパターンデータ、及び、右パーツ絵記号ＲＰ１の右パーツ表示用ドットパターンデータが、順次展開されることでそのままの態様で左右に並ぶように組み合わされて、図９（ｃ）に示すように、基本形絵記号選択画面５Ｂから移行したテキスト編集画面５Ａにおいて、文字「Ａ」「Ｂ」「Ｃ」の後に、左パーツ絵記号ＬＰ１及び右パーツ絵記号ＲＰ１を組み合わせた基本形絵記号ＢＰ１が表示される。このとき、基本形絵記号ＢＰ１の表示は、２文字分扱いとなっている。
【００６３】
また、このとき、テキストメモリ２１３ａにおいて、文字「Ａ」「Ｂ」「Ｃ」それぞれに対応する文字コード「０００１」「０００２」「０００３」の後に、基本形絵記号ＢＰ１に対応する文字コード「１００１」「２００１」が順次記憶される。
【００６４】
＜基本形絵記号の絵柄変更＞
その後、操作者が、キーボード３や機能キー群４等を操作して、テキスト編集画面５Ａに表示された基本形絵記号ＢＰのうちの１つを、絵柄変更を意図する基本形絵記号ＢＰとして選択する、選択操作（第１選択操作に相当）をしたとする。この例では、図９（ｃ）に示すように、操作者が、キーボード３や機能キー群４等を操作して、基本形絵記号ＢＰ１の位置にカーソル５１を移動させ、基本形絵記号ＢＰ１を選択したとする。このとき、基本形絵記号ＢＰ１の位置に移動したカーソル５１の表示は、２文字分扱いとなっている。
【００６５】
この場合、マッチング情報記憶部２１４ｂに記憶されたマッチング情報が参照され、表示用ＣＧＲＯＭ２１８から、基本形絵記号ＢＰ１の右半分の絵柄に対応する右パーツ絵記号ＲＰ１と組み合わせ可能な（基本形絵記号ＢＰ１の左半分の絵柄に対応する左パーツ絵記号ＬＰ１と置き換え可能な）左パーツ絵記号ＬＰの左パーツ表示用ドットパターンデータが抽出されて、図９（ｄ）に示すように、テキスト編集画面５Ａから移行した左パーツ絵記号選択画面５Ｃ（選択画面に相当。又はテキスト編集画面５Ａのままでもよい）に、右パーツ絵記号ＲＰ１と組み合わせ可能な左パーツ絵記号ＬＰが、例えばスクロールにより一覧可能に（又は別画面や別ウィンドウ等でもよい）表示される。この例では、右パーツ絵記号ＲＰ１と組み合わせ可能な左パーツ絵記号ＬＰとして、上記人の絵記号に係る、上記文字コード「１００１」が割り当てられた上記左パーツ絵記号ＬＰ１、例えば文字コード「１００２」が割り当てられた左パーツ絵記号ＬＰ２、及び、例えば文字コード「１００３」が割り当てられた左パーツ絵記号ＬＰ３等が、予め定められており、左パーツ絵記号選択画面５Ｃに、これら左パーツ絵記号ＬＰ１〜ＬＰ３等が一覧可能に表示される。
【００６６】
この状態で、操作者は、キーボード３や機能キー群４等を操作して、左パーツ絵記号選択画面５Ｃに表示された左パーツ絵記号ＬＰのうちの所望の１つを選択する選択操作（第２選択操作に相当）を行う。この例では、図９（ｄ）に示すように、操作者が、キーボード３や機能キー群４等を操作して、左パーツ絵記号ＬＰ１を選択した（左パーツ絵記号ＬＰの変更はしなかった）とする。なお、このとき、左パーツ絵記号選択画面５Ｃに、「左パーツをこれにしますか？」の確認メッセージが併せて表示されている。
【００６７】
この場合、上記確認メッセージに対応して操作者がキーボード３や機能キー群４等を操作して適宜の確認操作を行うと、マッチング情報記憶部２１４ｂに記憶されたマッチング情報が参照され、表示用ＣＧＲＯＭ２１８から、上記選択された左パーツ絵記号ＬＰ１と組み合わせ可能な（基本形絵記号ＢＰ１の右半分の絵柄に対応する右パーツ絵記号ＲＰ１と置き換え可能な）右パーツ絵記号ＲＰの右パーツ表示用ドットパターンデータが抽出されて、図９（ｅ）に示すように、左パーツ絵記号選択画面５Ｃから移行した右パーツ絵記号選択画面５Ｄ（選択画面に相当。又はテキスト編集画面５Ａのままでもよい）に、左パーツ絵記号ＬＰ１と組み合わせ可能な右パーツ絵記号ＲＰが、例えばスクロールにより一覧可能に（又は別画面や別ウィンドウ等でもよい）表示される。この例では、左パーツ絵記号ＬＰ１と組み合わせ可能な右パーツ絵記号ＲＰとして、上記人の絵記号に係る、上記文字コード「２００１」が割り当てられた上記右パーツ絵記号ＲＰ１、例えば文字コード「２００２」が割り当てられた右パーツ絵記号ＲＰ２、例えば文字コード「２００３」が割り当てられた右パーツ絵記号ＲＰ３、例えば文字コード「２００４」が割り当てられた右パーツ絵記号ＲＰ４、及び、例えば文字コード「２００５」が割り当てられた右パーツ絵記号ＲＰ５等が、予め定められており、右パーツ絵記号選択画面５Ｄに、これら右パーツ絵記号ＲＰ１〜ＲＰ５等が一覧可能に表示される。
【００６８】
この状態で、操作者は、キーボード３や機能キー群４等を操作して、右パーツ絵記号選択画面５Ｄに表示された右パーツ絵記号ＲＰのうちの所望の１つを選択する選択操作（第２選択操作に相当）を行う。この例では、図９（ｅ）に示すように、操作者が、キーボード３や機能キー群４等を操作して、右パーツ絵記号ＲＰ２を選択したとする。なお、このとき、右パーツ絵記号選択画面５Ｄに、「右パーツをこれにしますか？」の確認メッセージが併せて表示されている。
【００６９】
この場合、上記確認メッセージに対応して操作者がキーボード３や機能キー群４等を操作して適宜の確認操作を行うと、表示バッファ２１３ｂにおいて、文字「Ａ」「Ｂ」「Ｃ」それぞれの表示用ドットパターンデータの後の、基本形絵記号ＢＰ１に係る、左パーツ絵記号ＬＰ１の左パーツ表示用ドットパターンデータ、及び、右パーツ絵記号ＲＰ１の右パーツ表示用ドットパターンデータが、それぞれ、上記選択された左パーツ絵記号ＬＰ１の左パーツ表示用ドットパターンデータ、及び、上記選択された右パーツ絵記号ＲＰ２の左パーツ表示用ドットパターンデータに置き換えられて、図９（ｆ）に示すように、右パーツ絵記号選択画面５Ｄから移行したテキスト編集画面５Ａにおいて、文字「Ａ」「Ｂ」「Ｃ」の後に、基本形絵記号ＢＰ１に代えて、左パーツ絵記号ＬＰ１及び右パーツ絵記号ＲＰ２を組み合わせた変形絵記号ＴＰ１が表示される。このとき、変形絵記号ＴＰ１の表示も、２文字分扱いとなっている。
【００７０】
また、このとき、テキストメモリ２１３ａにおいて、文字「Ａ」「Ｂ」「Ｃ」それぞれに対応する文字コード「０００１」「０００２」「０００３」の後の、
基本形絵記号ＢＰ１に対応する文字コード「１００１」「２００１」が、変形絵記号ＴＰ１に対応する文字コード「１００１」「２００２」に置き換えられる。
【００７１】
＜印字ラベルの生成＞
その後、操作者が、上記印刷キー４Ｃを操作して、テキスト編集画面５Ａに表示されたテキストを、印字ラベルＬに印字形成するテキストとして決定する、決定操作をしたとする。この例では、操作者が、印刷キー４Ｃを操作して、文字「Ａ」「Ｂ」「Ｃ」及び変形絵記号ＴＰ１からなるテキストを決定したとする。
【００７２】
この場合、テキストメモリ２１３ａに記憶されたテキストデータ（文字コード）が参照され、印字用ＣＧＲＯＭ２１９から、文字「Ａ」「Ｂ」「Ｃ」の印字用ドットパターンデータ、左パーツ絵記号ＬＰ１の左パーツ印字用ドットパターンデータ、及び、右パーツ絵記号ＲＰ２の右パーツ印字用ドットパターンデータが、順次読み出され、印字バッファ２１３ｃに順次展開されることで、左パーツ絵記号ＬＰ１の左パーツ印字用ドットパターンデータ及び右パーツ絵記号ＲＰ２の右パーツ印字用ドットパターンデータがそのままの態様で左右（テープ長さ方向に対応する方向）に並ぶように組み合わされて、文字「Ａ」「Ｂ」「Ｃ」及び変形絵記号ＴＰ１からなるテキストを含む印字データが生成される。これにより、図９（ｇ）に示すように、文字「Ａ」「Ｂ」「Ｃ」及び変形絵記号ＴＰ１からなるテキストが印字形成された印字ラベルＬが生成される。
【００７３】
＜部分印字用ドットパターンデータを回転処理した態様で組み合わせる例＞
以下、図１０（ａ）〜（ｅ）を参照しつつ、部分印字用ドットパターンデータを回転処理した態様で組み合わせる例を説明する。
【００７４】
図１０（ａ）〜（ｅ）において、上記基本形絵記号選択画面５Ｂが表示された状態で、操作者が、キーボード３や機能キー群４等を操作して、上記基本形絵記号ＢＰ２を選択したとする。
【００７５】
この場合、上記確認メッセージに対応して操作者がキーボード３や機能キー群４等を操作して適宜の確認操作を行うと、表示バッファ２１３ｂにおいて、文字「Ａ」「Ｂ」「Ｃ」それぞれの表示用ドットパターンデータの後に、上記選択された基本形絵記号ＢＰ２に係る、下パーツ絵記号ＤＰ１の下パーツ表示用ドットパターンデータ、及び、上パーツ絵記号ＵＰ１の上パーツ表示用ドットパターンデータが、順次展開されることでそのままの態様で左右に並ぶように組み合わされて、図１０（ａ）に示すように、上記基本形絵記号選択画面５Ｂから移行したテキスト編集画面５Ａにおいて、文字「Ａ」「Ｂ」「Ｃ」の後に、下パーツ絵記号ＤＰ１及び上パーツ絵記号ＵＰ１を組み合わせた基本形絵記号ＢＰ２が表示される。このとき、基本形絵記号ＢＰ２の表示は、２文字分扱いとなっている。
【００７６】
また、このとき、テキストメモリ２１３ａにおいて、文字「Ａ」「Ｂ」「Ｃ」それぞれに対応する文字コード「０００１」「０００２」「０００３」の後に、基本形絵記号ＢＰ２に対応する文字コード「１０１１」「２０１１」が順次記憶される。
【００７７】
その後、図１０（ａ）に示すように、操作者が、キーボード３や機能キー群４等を操作して、基本形絵記号ＢＰ２の位置にカーソル５１を移動させ、基本形絵記号ＢＰ２を選択したとする。このとき、基本形絵記号ＢＰ２の位置に移動したカーソル５１の表示は、２文字分扱いとなっている。
【００７８】
この場合、マッチング情報記憶部２１４ｂに記憶されたマッチング情報が参照され、表示用ＣＧＲＯＭ２１８から、基本形絵記号ＢＰ２の下半分の絵柄に対応する下パーツ絵記号ＤＰ１と組み合わせ可能な（基本形絵記号ＢＰ２の上半分の絵柄に対応する上パーツ絵記号ＵＰ１と置き換え可能な）上パーツ絵記号ＵＰの上パーツ表示用ドットパターンデータが抽出されて、図１０（ｂ）に示すように、テキスト編集画面５Ａから移行した上パーツ絵記号選択画面５Ｅ（選択画面に相当。又はテキスト編集画面５Ａのままでもよい）に、下パーツ絵記号ＤＰ１と組み合わせ可能な上パーツ絵記号ＵＰが、例えばスクロールにより一覧可能に（又は別画面や別ウィンドウ等でもよい）表示される。この例では、下パーツ絵記号ＤＰ１と組み合わせ可能な上パーツ絵記号ＵＰとして、上記女性の顔の絵記号に係る、上記文字コード「２０１１」が割り当てられた上記上パーツ絵記号ＵＰ１、及び、例えば文字コード「２０１２」が割り当てられた上パーツ絵記号ＵＰ２等が、予め定められており、上パーツ絵記号選択画面５Ｅに、これら上パーツ絵記号ＵＰ１，ＵＰ２等が一覧可能に表示される。
【００７９】
この状態で、操作者は、キーボード３や機能キー群４等を操作して、上パーツ絵記号選択画面５Ｅに表示された上パーツ絵記号ＵＰのうちの所望の１つを選択する選択操作（第２選択操作に相当）を行う。この例では、図１０（ｂ）に示すように、操作者が、キーボード３や機能キー群４等を操作して、上パーツ絵記号ＵＰ２を選択したとする。なお、このとき、上パーツ絵記号選択画面５Ｅに、「上パーツをこれにしますか？」の確認メッセージが併せて表示されている。
【００８０】
この場合、上記確認メッセージに対応して操作者がキーボード３や機能キー群４等を操作して適宜の確認操作を行うと、マッチング情報記憶部２１４ｂに記憶されたマッチング情報が参照され、表示用ＣＧＲＯＭ２１８から、上記選択された上パーツ絵記号ＵＰ２と組み合わせ可能な（基本形絵記号ＢＰ２の下半分の絵柄に対応する下パーツ絵記号ＤＰ１と置き換え可能な）下パーツ絵記号ＤＰの下パーツ表示用ドットパターンデータが抽出されて、図１０（ｃ）に示すように、上パーツ絵記号選択画面５Ｅから移行した下パーツ絵記号選択画面５Ｆ（選択画面に相当。又はテキスト編集画面５Ａのままでもよい）に、上パーツ絵記号ＵＰ２と組み合わせ可能な下パーツ絵記号ＤＰが、例えばスクロールにより一覧可能に（又は別画面や別ウィンドウ等でもよい）表示される。この例では、上パーツ絵記号ＵＰ２と組み合わせ可能な下パーツ絵記号ＤＰとして、上記女性の顔の絵記号に係る、上記文字コード「１０１１」が割り当てられた上記下パーツ絵記号ＤＰ１、例えば文字コード「１０１２」が割り当てられた下パーツ絵記号ＤＰ２、及び、例えば文字コード「１０１３」が割り当てられた下パーツ絵記号ＤＰ３等が、予め定められており、下パーツ絵記号選択画面５Ｆに、これら下パーツ絵記号ＤＰ１〜ＤＰ３等が一覧可能に表示される。
【００８１】
この状態で、操作者は、キーボード３や機能キー群４等を操作して、下パーツ絵記号選択画面５Ｆに表示された下パーツ絵記号ＤＰのうちの所望の１つを選択する選択操作（第２選択操作に相当）を行う。この例では、図１０（ｃ）に示すように、操作者が、キーボード３や機能キー群４等を操作して、下パーツ絵記号ＤＰ３を選択したとする。なお、このとき、下パーツ絵記号選択画面５Ｆに、「下パーツをこれにしますか？」の確認メッセージが併せて表示されている。
【００８２】
この場合、上記確認メッセージに対応して操作者がキーボード３や機能キー群４等を操作して適宜の確認操作を行うと、表示バッファ２１３ｂにおいて、文字「Ａ」「Ｂ」「Ｃ」それぞれの表示用ドットパターンデータの後の、基本形絵記号ＢＰ２に係る、下パーツ絵記号ＤＰ１の下パーツ表示用ドットパターンデータ、及び、上パーツ絵記号ＵＰ１の上パーツ表示用ドットパターンデータが、それぞれ、上記選択された下パーツ絵記号ＤＰ３の下パーツ表示用ドットパターンデータ、及び、上記選択された上パーツ絵記号ＵＰ２の上パーツ表示用ドットパターンデータに置き換えられて、図１０（ｄ）に示すように、下パーツ絵記号選択画面５Ｆから移行したテキスト編集画面５Ａにおいて、文字「Ａ」「Ｂ」「Ｃ」の後に、基本形絵記号ＢＰ２に代えて、下パーツ絵記号ＤＰ３及び上パーツ絵記号ＵＰ２を組み合わせた変形絵記号ＴＰ２が表示される。このとき、変形絵記号ＴＰ２の表示も、２文字分扱いとなっている。
【００８３】
また、このとき、テキストメモリ２１３ａにおいて、文字「Ａ」「Ｂ」「Ｃ」それぞれに対応する文字コード「０００１」「０００２」「０００３」の後の、基本形絵記号ＢＰ２に対応する文字コード「１０１１」「２０１１」が、変形絵記号ＴＰ２に対応する文字コード「１０１３」「２０１２」に置き換えられる。
【００８４】
その後、操作者が、上記印刷キー４Ｃを操作して、文字「Ａ」「Ｂ」「Ｃ」及び変形絵記号ＴＰ２からなるテキストを決定したとする。
【００８５】
この場合、テキストメモリ２１３ａに記憶されたテキストデータ（文字コード）が参照され、印字用ＣＧＲＯＭ２１９から、文字「Ａ」「Ｂ」「Ｃ」の印字用ドットパターンデータ、下パーツ絵記号ＤＰ３の下パーツ印字用ドットパターンデータ、及び、上パーツ絵記号ＵＰ２の上パーツ印字用ドットパターンデータが、順次読み出され、印字バッファ２１３ｃに順次展開されることで、下パーツ絵記号ＤＰ３の下パーツ印字用ドットパターンデータ及び上パーツ絵記号ＵＰ２の上パーツ印字用ドットパターンデータが反時計回りに９０°回転処理された態様で上下（テープ幅方向に対応する方向）に並ぶように組み合わされて、文字「Ａ」「Ｂ」「Ｃ」及び変形絵記号ＴＰ２からなるテキストを含む印字データが生成される。これにより、図１０（ｅ）に示すように、文字「Ａ」「Ｂ」「Ｃ」及び変形絵記号ＴＰ２からなるテキストが印字形成された印字ラベルＬが生成される。
【００８６】
＜基本形絵記号を絵柄変更対象とならないように除外処理する例＞
また、本実施形態では、上記テキスト編集画面５Ａに表示された基本形絵記号ＢＰのうちに、絵柄変更したくない基本形絵記号ＢＰがある場合には、操作者は、その基本形絵記号ＢＰを絵柄変更対象とならないように除外処理させることが可能である。
【００８７】
以下、図１１（ａ）〜（ｃ）を参照しつつ、基本形絵記号ＢＰを絵柄変更対象とならないように除外処理する例を説明する。
【００８８】
図１１（ａ）〜（ｃ）において、上記テキスト編集画面５Ａが表示された状態で、操作者が、キーボード３や機能キー群４等を操作して、テキスト編集画面５Ａに表示された基本形絵記号ＢＰのうちの１つを、絵柄変更したくない基本形絵記号ＢＰとして選択する、選択操作（第３選択操作に相当）を行う。この例では、図１１（ａ）に示すように、操作者が、キーボード３や機能キー群４等を操作して、基本形絵記号ＢＰ１の位置にカーソル５１を移動させ、基本形絵記号ＢＰ１を選択したとする。
【００８９】
この場合、上記選択された基本形絵記号ＢＰ１が、上記絵柄変更を意図する基本形絵記号ＢＰとして選択する選択操作の選択対象とならないように除外処理される（選択不能とされる）。そして、基本形絵記号情報記憶部２１４ａが参照され、表示用ＣＧＲＯＭ２１８から、上記除外処理された基本形絵記号ＢＰ１に係る上記異態様絵記号ＢＰ１′の表示用ドットパターンデータが抽出されて、表示バッファ２１３ｂにおいて、文字「Ａ」「Ｂ」「Ｃ」それぞれの表示用ドットパターンデータの後の、基本形絵記号ＢＰ１に係る、左パーツ絵記号ＬＰ１の左パーツ表示用ドットパターンデータ、及び、右パーツ絵記号ＲＰ１の右パーツ表示用ドットパターンデータが、上記抽出された異態様絵記号ＢＰ１′の表示用ドットパターンデータに置き換えられて、図１１（ｂ）に示すように、テキスト編集画面５Ａにおいて、文字「Ａ」「Ｂ」「Ｃ」の後に、基本形絵記号ＢＰ１に代えて、異態様絵記号ＢＰ１′が表示される。このとき、異態様絵記号ＢＰ１′の表示は、１文字分扱いとなっている。
【００９０】
なお、このとき、テキストメモリ２１３ａにおけるテキストデータ（文字コード）は、置き換えられず、そのままとなっている。
【００９１】
その後、操作者が、上記印刷キー４Ｃを操作して、文字「Ａ」「Ｂ」「Ｃ」及び異態様絵記号ＢＰ１′からなるテキストを決定したとする。
【００９２】
この場合、テキストメモリ２１３ａに記憶されたテキストデータ（文字コード）が参照され、印字用ＣＧＲＯＭ２１９から、文字「Ａ」「Ｂ」「Ｃ」の印字用ドットパターンデータ、左パーツ絵記号ＬＰ１の左パーツ印字用ドットパターンデータ、及び、右パーツ絵記号ＲＰ１の右パーツ印字用ドットパターンデータが、順次読み出され、印字バッファ２１３ｃに順次展開されることで、左パーツ絵記号ＬＰ１の左パーツ印字用ドットパターンデータ及び右パーツ絵記号ＲＰ１の右パーツ印字用ドットパターンデータがそのままの態様で左右に並ぶように組み合わされて、文字「Ａ」「Ｂ」「Ｃ」及び基本形絵記号ＢＰ１からなるテキストを含む印字データが生成される。これにより、図１１（ｃ）に示すように、文字「Ａ」「Ｂ」「Ｃ」及び基本形絵記号ＢＰ１からなるテキストが印字形成された印字ラベルＬが生成される。
【００９３】
＜制御手順＞
以下、図１２を参照しつつ、上述した手法を実現するために上記ＣＰＵ２１２により実行される処理手順を説明する。
【００９４】
図１２において、例えば操作者が上記電源スイッチ４Ｂを操作することにより、このフローチャートの処理が開始される（「ＳＴＡＲＴ」位置）。
【００９５】
まず、ステップＳ１０で、ＣＰＵ２１２は、液晶ディスプレイ５に表示信号を出力し、テキスト編集画面５Ａを表示させる。
【００９６】
その後、ステップＳ２０で、ＣＰＵ２１２は、操作者のキーボード３や機能キー群４等を介したテキストの入力操作を受け付け、テキストメモリ２１３ａに、入力されたテキストに対応する文字コードを順次記憶する。
【００９７】
そして、ステップＳ３０で、ＣＰＵ２１２は、表示用ＣＧＲＯＭ２１８から、上記ステップＳ２０で入力されたテキストに対応する文字コードが割り当てられた表示用ドットパターンデータを順次読み出し、表示バッファ２１３ｂに順次展開して、テキスト編集画面５Ａに、テキストを表示させる。
【００９８】
その後、ステップＳ４０で、ＣＰＵ２１２は、操作者の機能キー群４を介した特別絵記号の入力を意図する操作が受け付けられたか否かを判定する。当該操作が受け付けられた場合には、ステップＳ４０の判定が満たされて（Ｓ４０：ＹＥＳ）、ステップＳ５０に移る。
【００９９】
ステップＳ５０では、ＣＰＵ２１２は、液晶ディスプレイ５に表示信号を出力し、基本形絵記号選択画面５Ｂを表示させる。このとき、ＣＰＵ２１２は、基本形絵記号情報記憶部２１４ａを参照し、複数種類の基本形絵記号ＢＰそれぞれについて、表示用ＣＧＲＯＭ２１８から、当該基本形絵記号ＢＰを構成する２つの部分絵記号それぞれの部分表示用ドットパターンデータを抽出して、それらを組み合わせることで、基本形絵記号選択画面５Ｂにおいて、複数種類の基本形絵記号ＢＰを一覧可能に表示させる。
【０１００】
その後、ステップＳ６０で、ＣＰＵ２１２は、操作者のキーボード３や機能キー群４等を介した、基本形絵記号選択画面５Ｂに表示された基本形絵記号ＢＰのうちの所望の１つを選択する選択操作を受け付け、テキストメモリ２１３ａに、選択された基本形絵記号ＢＰに対応する文字コードを記憶する。
【０１０１】
その後、上記ステップＳ３０に戻り、ＣＰＵ２１２は、表示バッファ２１３ｂにおいて、上記ステップＳ６０で選択された基本形絵記号ＢＰに係る２つの部分絵記号それぞれに対応する２つの文字コードがそれぞれ割り当てられた２つの部分表示用ドットパターンデータを順次展開して、テキスト編集画面５Ａにおいて、当該基本形絵記号ＢＰを含む、テキストを表示させる。
【０１０２】
一方、上記ステップＳ４０において、上記操作が受け付けられない場合には、ステップＳ４０の判定は満たされず（Ｓ４０：ＮＯ）、ステップＳ７０に移る。
【０１０３】
ステップＳ７０では、ＣＰＵ２１２は、操作者のキーボード３や機能キー群４を介した、テキスト編集画面５Ａに表示された基本形絵記号ＢＰのうちの１つを、絵柄変更を意図する基本形絵記号ＢＰとして選択する、選択操作が受け付けられたか否かを判定する。当該選択操作が受け付けられた場合には、ステップＳ７０の判定が満たされて（Ｓ７０：ＹＥＳ）、ステップＳ８０に移る。なお、このステップＳ７０を実行するＣＰＵ２１２が、各請求項記載の第１選択操作受付手段として機能する。
【０１０４】
ステップＳ８０では、ＣＰＵ２１２は、マッチング情報記憶部２１４ｂに記憶されたマッチング情報を参照し、表示用ＣＧＲＯＭ２１８から、上記ステップＳ７０で選択された基本形絵記号ＢＰに係る右パーツ絵記号ＲＰ又は下パーツ絵記号ＤＰと組み合わせ可能な（基本形絵記号ＢＰ１に係る左パーツ絵記号ＬＰ又は上パーツ絵記号ＵＰと置き換え可能な）左パーツ絵記号ＬＰの左パーツ表示用ドットパターンデータ又は上パーツ絵記号ＵＰの上パーツ表示用ドットパターンデータを抽出する。
【０１０５】
そして、ステップＳ９０で、液晶ディスプレイ５に表示信号を出力し、左パーツ絵記号選択画面５Ｃ又は上パーツ絵記号選択画面５Ｅを表示させる。このとき、ＣＰＵ２１２は、上記ステップＳ８０で抽出された左パーツ表示用ドットパターンデータ又は上パーツ表示用ドットパターンデータを用いて、左パーツ絵記号選択画面５Ｃ又は上パーツ絵記号選択画面５Ｅにおいて、上記ステップＳ７０で選択された基本形絵記号ＢＰに係る右パーツ絵記号ＬＰ又は下パーツ絵記号ＤＰと組み合わせ可能な左パーツ絵記号ＬＰ又は上パーツ絵記号ＵＰを一覧可能に表示させる。
【０１０６】
その後、ステップＳ１００で、ＣＰＵ２１２は、操作者のキーボード３や機能キー群４を介した、左パーツ絵記号選択画面５Ｃ又は上パーツ絵記号選択画面５Ｅに表示された左パーツ絵記号ＬＰ又は上パーツ絵記号ＵＰのうちの所望の１つを選択する選択操作を受け付け、テキストメモリ２１３ａにおける、上記ステップＳ７０で選択された基本形絵記号ＢＰに係る左パーツ絵記号ＬＰ又は上パーツ絵記号ＵＰに対応する文字コードを、選択された左パーツ絵記号ＬＰ又は上パーツ絵記号ＵＰに対応する文字コードに置き換える。
【０１０７】
そして、ステップＳ１１０で、ＣＰＵ２１２は、マッチング情報記憶部２１４ｂに記憶されたマッチング情報を参照し、表示用ＣＧＲＯＭ２１８から、上記ステップＳ１００で選択された左パーツ絵記号ＬＰ又は上パーツ絵記号ＵＰと組み合わせ可能な（基本形絵記号ＢＰ１に係る右パーツ絵記号ＲＰ又は下パーツ絵記号ＤＰと置き換え可能な）右パーツ絵記号ＲＰの右パーツ表示用ドットパターンデータ又は下パーツ絵記号ＤＰの下パーツ表示用ドットパターンデータを抽出する。なお、上記ステップＳ８０及びこのステップＳ１１０を実行するＣＰＵ２１２が、各請求項記載の抽出手段として機能する。
【０１０８】
その後、ステップＳ１２０で、液晶ディスプレイ５に表示信号を出力し、右パーツ絵記号選択画面５Ｄ又は下パーツ絵記号選択画面５Ｆを表示させる。このとき、ＣＰＵ２１２は、上記ステップＳ１１０で抽出された右パーツ表示用ドットパターンデータ又は下パーツ表示用ドットパターンデータを用いて、右パーツ絵記号選択画面５Ｄ又は下パーツ絵記号選択画面５Ｆにおいて、上記ステップＳ１００で選択された左パーツ絵記号ＬＰ又は上パーツ絵記号ＵＰと組み合わせ可能な右パーツ絵記号ＲＰ又は下パーツ絵記号ＤＰを一覧可能に表示させる。なお、上記ステップＳ９０及びこのステップＳ１２０を実行するＣＰＵ２１２が、各請求項記載の第２表示制御手段として機能する。
【０１０９】
そして、ステップＳ１３０で、ＣＰＵ２１２は、操作者のキーボード３や機能キー群４を介した、右パーツ絵記号選択画面５Ｄ又は下パーツ絵記号選択画面５Ｆに表示された右パーツ絵記号ＲＰ又は下パーツ絵記号ＤＰのうちの所望の１つを選択する選択操作を受け付け、テキストメモリ２１３ａにおける、上記ステップＳ７０で選択された基本形絵記号ＢＰに係る右パーツ絵記号ＲＰ又は下パーツ絵記号ＤＰに対応する文字コードを、選択された右パーツ絵記号ＲＰ又は下パーツ絵記号ＤＰに対応する文字コードに置き換える。なお、上記ステップＳ１００及びこのステップＳ１３０を実行するＣＰＵ２１２が、各請求項記載の第２選択操作受付手段として機能する。
【０１１０】
その後、上記ステップＳ３０に戻り、ＣＰＵ２１２は、表示バッファ２１３ｂにおいて、上記ステップＳ６０で選択された基本形絵記号ＢＰに係る、左パーツ絵記号ＬＰの左パーツ表示用ドットパターンデータ、又は、下パーツ絵記号ＤＰの下パーツ表示用ドットパターンデータと、右パーツ絵記号ＲＰの右パーツ表示用ドットパターンデータ、又は、上パーツ絵記号ＵＰの上パーツ表示用ドットパターンデータと、をそれぞれ、上記ステップＳ１００で選択された左パーツ絵記号ＬＰの左パーツ表示用ドットパターンデータ、又は、上記ステップＳ１３０で選択された下パーツ絵記号ＤＰの下パーツ表示用ドットパターンデータと、上記ステップＳ１３０で選択された右パーツ絵記号ＲＰの右パーツ表示用ドットパターンデータ、又は、上記ステップＳ１００で選択された上パーツ絵記号ＵＰの上パーツ表示用ドットパターンデータに置き換えて、テキスト編集画面５Ａにおいて、上記選択された基本形絵記号ＢＰに代えて、上記選択された左パーツ絵記号ＬＰ又は下パーツ絵記号ＤＰと、上記選択された右パーツ絵記号ＲＰ又は上パーツ絵記号ＵＰと、を組み合わせた変形絵記号を含む、テキストを表示させる。
【０１１１】
一方、上記ステップＳ７０において、上記選択操作が受け付けられない場合には、ステップＳ７０の判定は満たされず（Ｓ７０：ＮＯ）、ステップＳ１４０に移る。
【０１１２】
ステップＳ１４０では、ＣＰＵ２１２は、操作者のキーボード３や機能キー群４を介した、テキスト編集画面５Ａに表示された基本形絵記号ＢＰのうちの１つを、絵柄変更したくない基本形絵記号ＢＰとして選択する、選択操作が受け付けられたか否かを判定する。当該選択操作が受け付けられた場合には、ステップＳ１４０の判定が満たされて（Ｓ１４０：ＹＥＳ）、ステップＳ１５０に移る。なお、このステップＳ１４０を実行するＣＰＵ２１２が、各請求項記載の第３選択操作受付手段として機能する。
【０１１３】
そして、ステップＳ１５０で、ＣＰＵ２１２は、上記ステップＳ１４０で選択された基本形絵記号ＢＰを、上記ステップＳ７０での選択対象とならないように除外処理する。なお、このステップＳ１５０を実行するＣＰＵ２１２が、各請求項記載の除外処理手段として機能する。そして、ＣＰＵ２１２は、基本形絵記号情報記憶部２１４ａを参照し、上記除外処理された基本形絵記号ＢＰについて、表示用ＣＧＲＯＭ２１８から、当該基本形絵記号ＢＰに係る上記異態様絵記号ＢＰ１′の表示用ドットパターンデータを抽出する。
【０１１４】
その後、上記ステップＳ３０に戻り、ＣＰＵ２１２は、表示バッファ２１３ｂにおいて、上記ステップＳ１５０で除外処理された基本形絵記号ＢＰの２つの部分表示用ドットパターンデータを、上記ステップＳ１５０で抽出された異態様絵記号ＢＰ１′の表示用ドットパターンデータに置き換えて、テキスト編集画面５Ａにおいて、上記除外処理された基本形絵記号ＢＰの表示を、上記異態様絵記号ＢＰ１′基本形絵記号ＢＰの表示に変更する。なお、上記ステップＳ３０を実行するＣＰＵ２１２が、各請求項記載の第１表示制御手段として機能する。
【０１１５】
一方、上記ステップＳ１４０において、上記選択操作が受け付けられない場合には、ステップＳ１４０の判定は満たされず（Ｓ１４０：ＮＯ）、ステップＳ１６０に移る。
【０１１６】
ステップＳ１６０では、ＣＰＵ２１２は、印刷キー４Ｃが押されたか否かを判定する。印刷キー４Ｃが押されていない場合には、ステップＳ１６０の判定は満たされず（Ｓ１６０：Ｎｏ）、上記ステップＳ３０に戻り同様の手順を繰り返す。これにより、操作者が印刷キー４Ｃを押すまでの間の上記入力操作が可能になる。印刷キー４Ｃが押された場合には、ステップＳ１６０の判定が満たされて（Ｓ１６０：Ｙｅｓ）、ステップＳ１７０に移る。なお、このステップＳ１６０を実行するＣＰＵ２１２が、各請求項記載の決定操作受付手段として機能する。
【０１１７】
ステップＳ１７０では、ＣＰＵ２１２は、テキストメモリ２１３ａに記憶されたテキストデータ（文字コード）を参照し、印字用ＣＧＲＯＭ２１９から、当該テキストに対応する文字コードが割り当てられた印字用ドットパターンデータを順次読み出し、印字バッファ２１３ｃに順次展開して、当該テキストに対応する印字形成を実行するための、サーマルヘッド２３の発熱素子を通電する印字データを生成する。このとき、テキストメモリ２１３ａに、特別絵記号を含むテキストデータ（文字コード）が記憶されている場合には、ＣＰＵ２１２は、当該特別絵記号に係る２つの部分絵記号それぞれに対応する２つの文字コードがそれぞれ割り当てられた２つの部分印字用ドットパターンデータを順次読み出し、印字バッファ２１３ｃに順次展開することで、これら２つの部分印字用ドットパターンデータを組み合わせて、当該特別絵記号を含むテキストに対応する印字データを生成する。なお、このステップＳ１７０を実行するＣＰＵ２１２が、各請求項記載の印字データ生成手段として機能する。
【０１１８】
その後、ステップＳ１８０で、ＣＰＵ２１２は、モータ駆動回路２１６に制御信号を出力し、駆動モータ２１１によりテープ送りローラ駆動軸１０８及びリボン巻き取りローラ駆動軸１０７を駆動開始する。これにより、カバーフィルム１０３、基材テープ１０１、及び印字済みラベル用テープ１０９（以下適宜、単に「カバーフィルム１０３等」という）の搬送が開始される。
【０１１９】
そして、ステップＳ１９０で、ＣＰＵ２１２は、上記ステップＳ１７０で生成された印字データに基づき、上記のようにして搬送されるカバーフィルム１０３等が所定の印字領域の開始位置まで搬送されたかどうか（言い替えれば、印字領域の前端にサーマルヘッド２３が正対する搬送方向位置になるまでカバーフィルム１０３等が搬送されたかどうか）を判定する。この判定は、例えばステッピングモータからなる駆動モータ２１１のパルス数をカウントする等、公知の適宜の手法により行えば足りる。カバーフィルム１０３等が印字領域の開始位置まで搬送されていなければ、ステップＳ１９０の判定は満たされず（Ｓ１９０：ＮＯ）、ループ待機する。カバーフィルム１０３等が印字領域の開始位置まで搬送されたら、ステップＳ１９０の判定が満たされて（Ｓ１９０：ＹＥＳ）、ステップＳ２００に移る。
【０１２０】
ステップＳ２００では、ＣＰＵ２１２は、上記ステップＳ１７０で生成された印字データに基づき、サーマルヘッド２３の発熱素子に通電する印字処理を行う。これにより、カバーフィルム１０３に、上記通電された発熱素子によりインクリボン１０５のインクが転写され、上記印字データに対応した印字が形成される。
【０１２１】
その後、ステップＳ２１０で、ＣＰＵ２１２は、上記のようにして搬送されるカバーフィルム１０３等が印字領域の終了位置まで搬送されたかどうか（言い替えれば、印字領域の後端にサーマルヘッド２３が正対する搬送方向位置になるまでカバーフィルム１０３等が搬送されたかどうか）を判定する。この判定も上記同様の公知の手法により行えば足りる。カバーフィルム１０３等が印字領域の終了位置まで搬送されていなければ、ステップＳ２１０の判定は満たされず（Ｓ２１０：ＮＯ）、上記ステップＳ２００に戻り同様の手順を繰り返す。カバーフィルム１０３等が印字領域の終了位置まで搬送されていれば、ステップＳ２１０の判定が満たされて（Ｓ２１０：ＹＥＳ）、ステップＳ２２０に移る。
【０１２２】
ステップＳ２２０では、ＣＰＵ２１２は、上記ステップＳ１７０で生成された印字データに基づき、搬送されるカバーフィルム１０３等が、上記印字データに基づき印字領域よりラベル後端側に設定される所定の切断位置まで搬送されたかどうか（すなわち、切断位置に上記可動刃４１が正対する搬送方向位置になるまで、印字済みラベル用テープ１０９が搬送されたかどうか）を判定する。この判定も、前述と同様の公知の手法により行えば足りる。カバーフィルム１０３等が切断位置まで搬送されていなければ、ステップＳ２２０の判定は満たされず（Ｓ２２０：ＮＯ）、ループ待機する。カバーフィルム１０３等が切断位置まで搬送されたら、ステップＳ２２０の判定が満たされて（Ｓ２２０：ＹＥＳ）、ステップＳ２３０に移る。
【０１２３】
ステップＳ２３０では、ＣＰＵ２１２は、モータ駆動回路２１６に制御信号を出力し、駆動モータ２１１によるテープ送りローラ駆動軸１０８及びリボン巻き取りローラ駆動軸１０７の駆動を停止する。これにより、カバーフィルム１０３等の搬送が停止する。なお、上記ステップＳ１８０〜Ｓ２３０を実行するＣＰＵ２１２が、各請求項記載の連携制御手段として機能する。
【０１２４】
そして、ステップＳ２４０で、ＣＰＵ２１２は、液晶ディスプレイ５に表示信号を出力する。これにより、操作者に対し、カッターレバー７を操作し可動刃４１を動作させ印字済みラベル用テープ１０９を切断するよう促す、適宜の表示が液晶ディスプレイ５において行われる。この表示に対応して操作者がカッターレバー７を操作することで、印字済みラベル用テープ１０９の切断が行われ、印字ラベルが生成される。以上により、このフローチャートの処理が終了する。
【０１２５】
＜本実施形態の効果＞
以上説明したように、本実施形態によれば、操作者が絵柄変更したい絵記号を決定すると、予め部分絵記号単位で用意された複数種類の部分印字用ドットパターンデータの中から、当該絵記号の一部分となる部分絵記号の部分印字用ドットパターンデータを２つ組み合わせることにより、当該絵記号を含む印字データを生成し、当該絵記号を含む印字を形成することができる。すなわち、一部分が共通絵柄であるが全体としては異なる絵柄の複数の絵記号の印字用ドットパターンデータを用意するに際して、共通絵柄部分に対応する部分絵記号の部分印字用ドットパターンデータは、１つのみ用意すれば足りる。したがって、絵記号単位で印字用ドットパターンデータを複数種類用意する場合に比べて、用意する印字用ドットパターンデータのデータ量を低減することができる。また、部分印字用ドットパターンデータの組み合わせパターンを変更することにより、種々多様な絵記号の印字を実現することができる。
【０１２６】
また、本実施形態では特に、印字データに対応した印字が形成された印字ラベルＬを作成する。これにより、印字ラベルＬの作成に際して用意する印字用ドットパターンデータのデータ量を低減することができる。また、印字ラベルＬにおいて種々多様な絵記号の印字を実現することができる。
【０１２７】
また、本実施形態では特に、テキスト編集画面５Ａに絵記号を表示する際には、予め部分絵記号単位で用意された複数種類の部分表示用ドットパターンデータの中から、当該絵記号の一部分となる部分絵記号の部分表示用ドットパターンデータを２つ組み合わせることにより、当該絵記号を表示することができる。すなわち、一部分が共通絵柄であるが全体としては異なる絵柄の複数の絵記号の表示用ドットパターンデータを用意するに際して、共通絵柄部分に対応する部分絵記号の部分表示用ドットパターンデータは、１つのみ用意すれば足りる。したがって、絵記号単位で表示用ドットパターンデータを複数種類用意する場合に比べて、用意する表示用ドットパターンデータのデータ量を低減することができる。また、部分表示用ドットパターンデータの組み合わせパターンを変更することにより、種々多様な絵記号の表示を実現することができる。
【０１２８】
また、本実施形態では特に、印字用ＣＧＲＯＭ２１９は、各部分絵記号ごとに文字コードを割り当てた態様で、部分印字用ドットパターンデータを複数種類記憶しており、表示用ＣＧＲＯＭ２１８は、各部分絵記号ごとに文字コードを割り当てた態様で、部分表示用ドットパターンデータを複数種類記憶している。これにより、部分絵記号を文字や記号と同様に取り扱うことができ、部分絵記号の印字装置１への組み込みを容易に行うことができる。
【０１２９】
また、本実施形態では特に、マッチング情報記憶部２１４ｂは、複数種類の部分絵記号の間のマッチング情報を記憶している。これにより、組み合わせることにより絵記号として成立する部分絵記号のデータ同士のみを確実に組み合わせることができる。
【０１３０】
また、本実施形態では特に、操作者は、予め設定された複数種類の基本形絵記号ＢＰの中から選択した基本形絵記号ＢＰが表示されたテキスト編集画面５Ａにおいて、絵柄を変更したい１つの基本形絵記号ＢＰを選択し、その絵柄を適宜変更することにより、基本形絵記号ＢＰの変形である種々多様な変形絵記号を実現することができる。
【０１３１】
また、本実施形態では特に、操作者が選択した基本形絵記号ＢＰを、絵柄変更の選択対象とならないように除外処理する。これにより、絵柄変更したくない基本形絵記号ＢＰを操作者が誤って絵柄変更対象としてしまうのを防止することができ、操作者にとっての利便性を向上することができる。
【０１３２】
また、本実施形態では特に、上記除外処理された基本形絵記号ＢＰのテキスト編集画面５Ａにおける表示を、当該基本形絵記号ＢＰに係る２つの部分表示用ドットパターンデータの組み合わせによる表示から、当該基本形絵記号ＢＰに係る上記異態様絵記号の表示用ドットパターンデータを用いた表示に変更する。これにより、テキスト編集画面５Ａにおいて、絵柄変更を不能とした基本形絵記号ＢＰを他の絵記号と異なる態様の表示とする（上記の例では柄変更を不能とした基本形絵記号ＢＰを他の絵記号よりも小さな表示とする）ことができる。この結果、操作者は、テキスト編集画面５Ａにおいて、絵柄変更を不能とした基本形絵記号ＢＰと他の絵記号とを容易に識別することができ、操作者にとっての利便性をさらに向上することができる。
【０１３３】
＜変形例等＞
なお、本発明は、上記実施形態に限られるものではなく、その趣旨及び技術的思想を逸脱しない範囲内で種々の変形が可能である。以下、そのような変形例を説明する。
【０１３４】
（１）ワイドな絵柄の絵記号の生成を実現可能とする場合
本変形例では、表示用ＣＧＲＯＭ２１８には、部分表示用ドットパターンデータとして、さらに、上記左パーツ絵記号ＬＰ及び右パーツ絵記号ＲＰの間に配置可能な左右中間パーツ絵記号（中間部分絵記号に相当）の左右中間パーツ表示用ドットパターンデータが記憶されている。また、印字用ＣＧＲＯＭ２１９には、部分印字用ドットパターンデータとして、さらに、上記左右中間パーツ絵記号絵記号の左右中間パーツ印字用ドットパターンデータ（中間部分印字用データ）が記憶されている。
【０１３５】
そして、ＣＰＵ２１２は、表示バッファ２１３ｂにおいて、基本形絵記号ＢＰの左パーツ表示用ドットパターンデータ及び右パーツ表示用ドットパターンデータと、前述の選択操作に基づき抽出された、左パーツ表示用ドットパターンデータ、１つ以上の左右中間パーツ表示用ドットパターンデータ、及び右パーツ表示用ドットパターンデータと、を置き換える（又は、基本形絵記号ＢＰの左パーツ表示用ドットパターンデータ及び右パーツ表示用ドットパターンデータの間に、左右中間パーツ表示用ドットパターンデータを組み合わせる）ことで、テキスト編集画面５Ａにおいて、基本形絵記号ＢＰに代えて、左パーツ絵記号ＬＰ、１つ以上の左右中間パーツ絵記号、及び右パーツ絵記号ＲＰを組み合わせた、横ワイドな絵柄の変形絵記号を表示させることができる。また、ＣＰＵ２１２は、印字バッファ２１３ｃにおいて、基本形絵記号ＢＰの左パーツ表示用ドットパターンデータ及び右パーツ表示用ドットパターンデータと、前述の選択操作に基づき抽出された、左パーツ印字用ドットパターンデータ、１つ以上の左右中間パーツ印字用ドットパターンデータ、及び右パーツ印字用ドットパターンデータと、を置き換える（又は、基本形絵記号ＢＰの左パーツ表示用ドットパターンデータ及び右パーツ表示用ドットパターンデータの間に、左右中間パーツ表示用ドットパターンデータを組み合わせる）ことで、左パーツ絵記号ＬＰ、１つ以上の左右中間パーツ絵記号、及び右パーツ絵記号ＲＰを組み合わせた、横ワイドな絵柄の変形絵記号を含む印字データを生成し、当該変形絵記号が印字形成された印字ラベルＬを生成することができる。
【０１３６】
なお、表示用ＣＧＲＯＭ２１８に、部分表示用ドットパターンデータとして、上記上パーツ絵記号ＵＰ及び下パーツ絵記号ＤＰの間に配置可能な上下中間パーツ絵記号（中間部分絵記号に相当）の上下中間パーツ表示用ドットパターンデータが記憶されると共に、印字用ＣＧＲＯＭ２１９に、部分印字用ドットパターンデータとして、上記上下中間パーツ絵記号絵記号の上下中間パーツ印字用ドットパターンデータ（中間部分印字用データ）が記憶され、下パーツ絵記号ＤＰ、１つ以上の上下中間パーツ絵記号、及び上パーツ絵記号ＵＰを組み合わせた、縦ワイドな絵柄の変形絵記号の表示や印字が行われてもよい。
【０１３７】
図１３に、左パーツ絵記号ＬＰ、１つ以上の中間パーツ絵記号、及び右パーツ絵記号ＲＰを組み合わせた、ワイドな絵柄の変形絵記号の一例を示す。図１３に示す例では、上記左パーツ絵記号ＬＰ３、人の絵記号に係る３つの中間パーツ絵記号Ｎ１，Ｎ１，Ｎ１、及び上記右パーツ絵記号ＲＰ５を組み合わせた、ワイドな絵柄の変形絵記号ＴＰ８を示している。
【０１３８】
本変形例においても、上記実施形態と同様の効果を得ることができる。また、本変形例によれば、ワイドな絵柄の絵記号の印字や表示を実現することができ、種々多様な絵記号の印字や表示をさらに確実に実現することができる。
【０１３９】
（２）その他
上記実施形態では、２つの部分表示用ドットパターンデータをそのままの態様で組み合わせて特別絵記号を表示すると共に、２つの部分印字用ドットパターンデータ（左パーツ印字用ドットパターンデータ及び右パーツ印字用ドットパターンデータ）をそのままの態様で組み合わせて特別絵記号を含む印字データを生成するか、又は、２つの部分印字用ドットパターンデータ（下パーツ印字用ドットパターンデータ及び上パーツ印字用ドットパターンデータ）を回転処理した態様で組み合わせて特別絵記号を含む印字データを生成していたが、これに限られない。すなわち、２つの部分表示用ドットパターンデータの少なくとも一方を回転処理及び反転処理の少なくとも一方をした態様で組み合わせて特別絵記号を表示したり、２つの部分印字用ドットパターンデータの少なくとも一方を回転処理及び反転処理の少なくとも一方をした態様で組み合わせて特別絵記号を含む印字データを生成してもよい。この場合には、回転又は反転したら同一の絵柄となる２つの部分絵記号の部分印字用ドットパターンデータや部分表示用ドットパターンデータは、１つのみ用意すれば足りる。したがって、用意する印字用ドットパターンデータや表示用ドットパターンデータのデータ量をさらに確実に低減することができる。
【０１４０】
また、上記実施形態では、左右又は上下に２分割された部分印字用ドットパターンデータや部分表示用ドットパターンデータを用いたが、例えば上下左右に４分割された部分印字用ドットパターンデータや部分表示用ドットパターンデータ等を用いてもよい。この場合も同様の効果を得ることができる。
【０１４１】
また、以上は、印字装置として、被印字テープに所望の印刷を行って印字ラベルを作成する印字装置に対し本発明を適用した場合を例にとって説明したが、これに限られない。すなわち、例えばＡ４、Ａ３、Ｂ４、Ｂ５サイズ等の通常の被印刷用紙に画像を形成したり文字を印刷するプリンタや、バッテリ電源により駆動される携帯用プリンタに対し、本発明を適用してもよい。この場合も同様の効果を得る。
【０１４２】
なお、以上の説明において、「垂直」「平行」「平面」等の記載がある場合には、当該記載は厳密な意味ではない。すなわち、それら「垂直」「平行」「平面」等とは、設計上、製造上の公差、誤差が許容され、「実質的に垂直」「実質的に平行」「実質的に平面」等という意味である。
【０１４３】
また、以上の説明において、外観上の寸法や大きさが「同一」「等しい」「異なる」等の記載がある場合は、当該記載は厳密な意味ではない。すなわち、それら「同一」「等しい」「異なる」等とは、設計上、製造上の公差、誤差が許容され、「実質的に同一」「実質的に等しい」「実質的に異なる」等という意味である。但し、例えばしきい値や基準値等、所定の判定基準となる値あるいは区切りとなる値の記載がある場合は、それらに対しての「同一」「等しい」「異なる」等は、上記とは異なり、厳密な意味である。
【０１４４】
また、以上において、図４中に示す矢印は、信号の流れの一例を示すものであり、信号の流れ方向を限定するものではない。
【０１４５】
また、図１２に示すフローチャートは、本発明を図示する手順に限定するものではなく、発明の趣旨及び技術的思想を逸脱しない範囲内で手順の追加・削除又は順番の変更等をしてもよい。
【０１４６】
また、以上既に述べた以外にも、上記実施形態や各変形例による手法を適宜組み合わせて利用してもよい。
【０１４７】
その他、一々例示はしないが、本発明は、その趣旨を逸脱しない範囲内において、種々の変更が加えられて実施されるものである。
【符号の説明】
【０１４８】
１                印字装置
３                キーボード（操作手段）
４                機能キー群（操作手段）
５                液晶ディスプレイ（表示手段）
２３              サーマルヘッド（印字手段）
１０３            カバーフィルム（被印字媒体）
１０８            テープ送りローラ駆動軸（搬送手段）
２１４ｂ          マッチング情報記憶部（第３記憶手段）
２１８            表示用ＣＧＲＯＭ（第２記憶手段及び第４記憶手段）
２１９            印字用ＣＧＲＯＭ（第１記憶手段）
Ｌ                印字ラベル
【図１】
0006414515.tif 000002
【図２】
0006414515.tif 000003
【図３】
0006414515.tif 000004
【図４】
0006414515.tif 000005
【図５】
0006414515.tif 000006
【図６】
0006414515.tif 000007
【図７】
0006414515.tif 000008
【図８】
0006414515.tif 000009
【図９】
0006414515.tif 000010
【図１０】
0006414515.tif 000011
【図１１】
0006414515.tif 000012
【図１２】
0006414515.tif 000013
【図１３】
0006414515.tif 000014